(57)【特許請求の範囲】
【請求項１】
走行機台上に脱穀部（Ａ）と、脱穀部（Ａ）からの穀粒を揚穀筒（１）を介して収納するグレンタンク（Ｇ）を並設し、該グレンタンク（Ｇ）の外側部を支点（Ｐ）にして外側方に回動可能にし、脱穀部（Ａ）から離間させたり元の状態に復元するとき、揚穀筒（１）の閉塞板（７）に密着するシール部材（８）が回動軌跡（ホ）、（へ）を通り、跳出口（２）を形成する跳出胴（６）と前記シール部材（８）が干渉しない構成にしたもので、グレンタンク（Ｇ）の内側壁（Ｇ１）に開口する投入口（３）を前記揚穀筒（１）の跳出口（２）よりも大きく開口して跳出口（２）にのぞませ、跳出口（２）部の内面に接触する板体（５）をグレンタンク（Ｇ）がわから延設し、跳出口（２）から跳出される穀粒をグレンタンク（Ｇ）の内部に向けて案内する前記板体（５）の先端がわを跳出口（２）の内面に向けて折曲げた折曲げ部（５ａ）を形成し、跳出板（４）の回転方向（イ）に対向する跳出胴（６）の内面に前記折曲げ部（５ａ）を接触させる構成にしたことを特徴とするコンバイン。
【発明の詳細な説明】
【０００１】
【発明の属する技術分野】
本発明は、走行機台上に脱穀部と、脱穀部からの穀粒を揚穀筒を介して収納するグレンタンクを並設し、該グレンタンクを外側部を支点にして外側方に回動可能にしたコンバインのグレンタンク投入口部に関するものである。
【０００２】
【従来の技術】
従来、上記のように、脱穀部に並設するグレンタンクを外側部を支点にして外側方に回動し脱穀部から離間可能にすることによってメンテナンス性を良好にしたものに、脱穀部からの穀粒を揚穀筒を介して収納するようにしてある構成のものは一般に公知であり、特開平０８−１１６７６２号公報に縦送りパイプの下部とグレンタンクの後壁とを接続する接続ケースを設け、その下面に支点軸を装備して該縦送りパイプを中心に接続ケースとともに機体の側方にグレンタンクを回動させる構成が開示されている。また、回転羽根で放出する穀粒の飛散方向を案内するライナーを吐出口からグレンタンク内に延出させ、その延出部分によって穀粒の飛散方向を定めるガイドにし、該ガイド自体の弾性変形で放出位置を変更する調節構造にするとともに、前記回転羽根に対して接線方向に飛行する放出がわに前記ガイドを設置したものが特開平０７−０３９２４０号公報に開示されている。
【０００３】
【発明が解決しようとする課題】
このような、従来公知のものにあっては、グレンタンクを外側方に回動しまた復動するときに、揚穀筒の跳出口部と干渉したり、また、跳出口から跳出される穀粒が投入口部に添着するシール部材に衝撃して損傷を与えるなどの問題点がある。
【０００４】
【課題を解決するための手段】
本発明は、走行機台上に脱穀部と、脱穀部からの穀粒を揚穀筒を介して収納するグレンタンクを並設し、該グレンタンクの外側部を支点にして外側方に回動可能にし、脱穀部から離間させたり元の状態に復元するとき、揚穀筒の閉塞板に密着するシール部材が回動軌跡ホ、へを通り、跳出口を形成する跳出胴と前記シール部材が干渉しない構成にしたもので、グレンタンクの内側壁に開口する投入口を前記揚穀筒の跳出口よりも大きく開口して跳出口にのぞませ、跳出口部の内面に接触する板体をグレンタンクがわから延設し、跳出口から跳出される穀粒をグレンタンクの内部に向けて案内する前記板体の先端がわを跳出口の内面に向けて折曲げた折曲げ部を形成し、跳出板の回転方向に対向する跳出胴の内面に前記折曲げ部を接触させる構成にしたことから、グレンタンクを外側方に回動または復動するとき、跳出口部と干渉することなくグレンタンクが脱穀部から離間可能なものになってメンテナンス性を良好にしながら、投入口部に添着するシール部材に跳出口から跳出される穀粒が衝撃することがなくなって損傷を与えないようになる。
【０００５】
また、前記の板体を板バネで構成すると、揚穀筒がわの跳出口部とグレンタンクの投入口部の相対位置関係に誤差が生じてもその誤差が吸収されて組立が容易になる。
【０００６】
【発明の実施の形態】
【実施例】
以下、本発明を実施例図に基づいて具体的に説明すると、このコンバインは走行機台上に「図４」の概略平面図に示すように、左側に脱穀部（Ａ）を右側に操縦部（Ｂ）とグレンタンク（Ｇ）とエンジン（Ｅ）を 配設してグレンタンク（Ｇ）を脱穀部（Ａ）に並設し、脱穀部（Ａ）の前方から操縦部（Ｂ）の前方にかけて刈取部（Ｃ）を設け、 穀稈を刈取り脱穀処理して穀粒を揚穀筒（１）を介してグレンタンク（Ｇ）に収納し脱穀済の排藁は後方に排出するようにしたものである。
【０００７】
次に、「図１」〜「図３」において、前記の揚穀筒（１）は脱穀部（Ａ）とグレンタンク（Ｇ）の間に立設して脱穀部（Ａ）からの穀粒を揚上しグレンタンク（Ｇ）に収納するもので、揚穀筒（１）上部の跳出口（２）を形成する跳出胴（６）内には跳出板（４）が内装されて揚上された穀粒を跳出口（２）からグレンタンク（Ｇ）内に跳出すのである。
【０００８】
そして、脱穀部（Ａ）に並設するグレンタンク（Ｇ）は後側の外側部を支点（Ｐ）にして（ロ）のように外側方に回動自在にし脱穀部（Ａ）から離間可能にしてあり、そのグレンタンク（Ｇ）の内側壁（Ｇ１）における前記跳出口（２）に対応する箇所には跳出口（２）よりも大きい投入口（３）が開口され、この投入口（３）に跳出口（２）をのぞませるとともに、跳出胴（６）の周りにグレンタンク（Ｇ）の内側壁（Ｇ１）にそう閉塞板（７）が溶着されて投入口（３）の周りに形成される空間を塞ぎ、投入口（３）の周りにおけるグレンタンク（Ｇ）の内側壁（Ｇ１）部分の外面にゴム等のシール部材（８）を添着しシール部材（８）を介して内側壁（Ｇ１）を閉塞板（７）に密着させている。
【０００９】
（５）は前記跳出口（２）の高さより長目の幅をもつ板体で、その基端がわを内側壁（Ｇ１）に接続する後側内面に取着して斜向させたのち先端がわを跳出板（４）の回転方向（イ）に対向する跳出口（２）部の内面に向け折曲して折曲部（５ａ）を形成し、この折曲部（５ａ）の上下部を切欠いで前記跳出口（２）を形成する跳出胴（６）部分の内面に接触させるようにしている。
【００１０】
これにより、脱穀部（Ａ）からの穀粒は揚穀筒（１）により揚上され跳出胴（６）内の跳出板（４）によって跳出口（２）から跳出され、その跳出される穀粒のうち、（ハ）のように跳出されるものは板体（５）によって（ニ）のようにグレンタンク（Ｇ）の内部に向けて案内されるのである。
【００１１】
また、「図５」に示すように、グレンタンク（Ｇ）を支点（Ｐ）を軸にして外側方に回動させて脱穀部（Ａ）から離間させたり、元の状態に復動させるときは、閉塞板（７）に密着するシール部材（８）は（ホ）及び（ヘ）のような回動軌跡を通るようになって跳出口（２）を形成する跳出胴（６）と干渉しないのである。
【００１２】
そして、前記の板体（５）は板バネ材で構成されていて、板体（５）の折曲部（５ａ）が接触する前記跳出口（２）を形成する跳出胴（６）部分の内面に押圧勝手に取付けられて密接するものにしてある。
【００１３】
なお、「図４」に示すように、このコンバインの操縦部（Ｂ）はキャビン内に装備され、そのヒータ（９）はキャビン後側の外部に取付けられて、取付工事を簡単にしメンテナンス性をよいものにしている。
【００１４】
【発明の効果】
本発明は、以上説明したように実施されたもので、次に、記載するような効果を奏する。
【００１５】
走行機台上に脱穀部と、脱穀部からの穀粒を揚穀筒を介して収納するグレンタンクを並設し、該グレンタンクの外側部を支点にして外側方に回動可能にし、脱穀部から離間させたり元の状態に復元するとき、揚穀筒の閉塞板に密着するシール部材が回動軌跡ホ、ヘを通り、跳出口を形成する跳出胴と前記シール部材が干渉しない構成にしたもので、グレンタンクの内側壁に開口する投入口を前記揚穀筒の跳出口よりも大きく開口して跳出口にのぞませ、跳出口部の内面に接触する板体をグレンタンクがわから延設し、跳出口から跳出される穀粒をグレンタンクの内部に向けて案内する前記板体の先端がわを跳出口の内面に向けて折曲げた折曲げ部を形成し、跳出板の回転方向に対向する跳出胴の内面に前記折曲げ部を接触させる構成にしたことにより、グレンタンクを外側部を支点にして外側方に回動または復動させるとき、跳出口部との干渉がなく脱穀部から離間可能なものになってメンテナンス性を良好にしながら、揚穀筒の跳出口から跳出板の回転方向に跳出される穀粒が板体によってグレンタンクの内部に向けて案内されるようになり、投入口部に添着するシール部材に衝撃して損傷を与えるなどの実害が発生しない。
【００１６】
また、前記板体を板バネで構成したから、跳出口部と投入口部の相対位置関係の誤差による組立時におけるバラツキを吸収できて組立作業を容易にするのである。
【図面の簡単な説明】
【図１】  グレンタンク投入口部の平面図である。
【図２】  脱穀部がわから見たグレンタンク投入口部の側面図である。
【図３】  「図２」の矢印（Ｘ）方向から見た板体の前方視図である。
【図４】  コンバイン各部の配置を示す概略平面図である。
【図５】  グレンタンクの作動説明図である。
【符号の説明】
Ａ    脱穀部
Ｇ    グレンタンク
１    揚穀筒
２    跳出口
Ｇ１  内側壁
３    投入口
Ｐ    支点
４    跳出板
イ    回転方向
５    板体
５ａ  折曲げ部
６    跳出胴
７    閉塞板
８    シール部材
ホ    回転軌跡
ヘ    回転軌跡
【図１】
0003778629.tif 000002
【図２】
0003778629.tif 000003
【図３】
0003778629.tif 000004
【図４】
0003778629.tif 000005
【図５】
0003778629.tif 000006